(57)【要約】【課題】簡易な構造で安価な貯水装置を提供する。【解決手段】雨水貯蔵袋装置１は、可撓性の膜からなる袋体１０と、袋体に収容された浮体２０とを備えている。袋体１０の上面部１１から雨水が流入可能である。浮体２０は、水よりも比重が小さく、前記流入した雨水の上側に位置可能である。【選択図】図１
2015101350.tif 000002
【特許請求の範囲】
【請求項１】
可撓性の膜からなり、上面部から雨水が流入可能な袋体と、
前記袋体に収容されるか又は前記上面部を構成し、かつ水よりも比重が小さく、前記流入した雨水の上側に位置可能な浮体と、
を備えたことを特徴とする雨水貯蔵袋装置。
【請求項２】
前記浮体には、前記流入した雨水を前記浮体の下方へ通す通水孔が形成されていることを特徴とする請求項１〜３の何れか１項に記載の雨水貯蔵袋装置。
【請求項３】
前記浮体が、気体室を有していることを特徴とする請求項１又は２に記載の雨水貯蔵袋装置。
【請求項４】
前記袋体が、互いに上下に対向するとともに周縁部が一体に連なる上面膜部及び底面膜部を有し、前記浮体が、前記上面膜部及び底面膜部どうしの間に挟まれるようにして収容されていることを特徴とする請求項１〜３の何れか１項に記載の雨水貯蔵袋装置。
【請求項５】
前記上面膜部には、雨水を前記袋体内に流入させる受水孔が形成されていることを特徴とする請求項４に記載の雨水貯蔵袋装置。
【請求項６】
前記浮体には、前記受水孔からの雨水を前記浮体の下方へ通す通水孔が形成されており、前記通水孔が、前記受水孔より大きいことを特徴とする請求項５に記載の雨水貯蔵袋装置。
【請求項７】
前記袋体又は前記浮体が、生分解性樹脂にて構成されていることを特徴とする請求項１〜６の何れか１項に記載の雨水貯蔵袋装置。
【請求項８】
前記袋体の底面部に、前記流入のコンダクタンスよりも小さいコンダクタンスの透水孔が形成されていることを特徴とする請求項１〜７の何れか１項に記載の雨水貯蔵袋装置。
【請求項９】
前記袋体の内部に肥料又は農薬からなる添加剤を入れたことを特徴とする請求項１〜８の何れか１項に記載の雨水貯蔵袋装置。
【請求項１０】
請求項１〜９の何れか１項に記載の雨水貯蔵袋装置を植物栽培場に敷設することを特徴とする雨水貯蔵袋装置の使用方法。
【発明の詳細な説明】
【技術分野】
【０００１】
本発明は、水等の液を溜める袋装置に関し、特に雨水を溜めるのに適した雨水貯蔵袋装置及びその使用方法に関する。
【背景技術】
【０００２】
果樹園等の植物栽培場では、雨水等を利用して果樹等の植物を生育させている。しかし、乾燥しがちな地域又は季節においては水不足になる。一方、降雨量が大きいと、雨水を無駄に流失してしまうことになる。そこで、水の安定供給のために、例えば、ダム、人工池等の水源構造物を構築し、これに水を蓄えておく。この水を、灌漑水路によって植物栽培場へ送る。しかし、上記水源構造物は、構築可能な場所が限定され、かつ移動不能である。加えて、構築するのに多大なコストがかかる。
特許文献１には、海に袋を浮かべ、この袋に水を溜めることが記載されている。
【先行技術文献】
【特許文献】
【０００３】
【特許文献１】特開２０１２−１５３４２５号公報
【発明の概要】
【発明が解決しようとする課題】
【０００４】
本発明は、上記事情に鑑み、植物栽培場等の所要場所に降った雨を直接貯蔵でき、簡易な構造で安価な雨水の貯蔵装置を提供することを目的とする。
【課題を解決するための手段】
【０００５】
上記課題を解決するため、本発明に係る雨水貯蔵袋装置は、可撓性の膜からなり、上面部から雨水が流入可能な袋体と、前記袋体に収容されるか又は前記上面部を構成し、かつ水よりも比重が小さく、前記流入した雨水の上側に位置可能な浮体とを備えたことを特徴とする。前記流入した雨水によって浮体が浮き上がることで、袋体の容量を確保でき、袋体内に上記雨水を確実に溜めることができる。これによって、簡易な構造で安価な雨水貯蔵装置を提供することができる。この雨水貯蔵袋装置を植物栽培場等の所要場所に設置することで、該所要場所に降った雨水を直接貯蔵でき、必要に応じて、貯蔵した水を利用に供することができる。
【０００６】
前記浮体には、前記流入した雨水を前記浮体の下方へ通す通水孔が形成されていることが好ましい。これによって、浮体が、前記流入した雨水の上方に確実に位置するようにでき、雨水を確実に貯蔵することができる。
【０００７】
前記浮体が、気体室を有していることが好ましい。これによって、浮体を水よりも確実に軽くでき、袋体内に流入した水によって浮体が確実に浮き上がるようにできる。したがって、袋体内の貯水室の容積を確実に確保できる。
前記浮体として、気泡緩衝材（エアクッション）や発泡体などを用いることができる。これによって、雨水貯蔵袋装置を一層安価に提供することができる。
【０００８】
前記袋体が、互いに上下に対向するとともに周縁部が一体に連なる上面膜部及び底面膜部を有し、前記浮体が、前記上面膜部及び底面膜部どうしの間に挟まれるようにして収容されていることが好ましい。
これによって、内部が空のときの雨水貯蔵袋装置を扁平にできる。したがって、雨水貯蔵袋装置の保管、運搬、設置等を容易に行なうことができる。
【０００９】
前記上面膜部には、雨水を前記袋体内に流入させる受水孔が形成されていることが好ましい。これによって、上面膜部上に降った雨水を、受水孔を通して雨水貯蔵袋装置の内部に確実に流入させることができる。
前記通水孔が、前記受水孔より大きいことが好ましい。これによって、受水孔から上面膜部と浮体との間に入った水を、通水孔を通して、浮体と底面膜部との間の貯水室へ確実に流れ込ませて貯蔵することができる。また、雨水貯蔵袋装置に溜めた水が蒸発して受水孔から放出されるのを抑制できる。
【００１０】
前記袋体又は前記浮体が、生分解性樹脂にて構成されていてもよい。これによって、雨水貯蔵袋装置を圃場等の地面に設置した場合、袋体又は浮体はやがて分解されて設置場所の土の一部になるために、使用後の廃棄処分が不要になる。
【００１１】
前記雨水貯蔵袋装置を植物栽培場に敷設することが好ましい。これによって、袋体に溜めた雨水を植物栽培場における植物の生育等に供することができる。
【００１２】
前記袋体の底面部に、前記流入のコンダクタンスよりも小さいコンダクタンスの透水孔が形成されていることが好ましい。これによって、袋体に貯めた水を透水孔から流出させ、雨水貯蔵袋装置の設置場所に水を直接的に供給することができる。この雨水貯蔵袋装置を植物栽培場に敷設しておくと、前記透水孔から流出した水を植物栽培場の土中に浸み込ませることができる。これによって、前記植物栽培場の土を常時湿潤な状態に維持できる。透水孔のコンダクタンスを前記流入コンダクタンスよりも小さくすることによって、前記水を時間をかけて少量ずつ供給することができる。前記透水孔は、ピンホールであることが好ましい。これによって、透水孔のコンダクタンスを前記流入コンダクタンスよりも確実に小さくすることができる。
袋体の底面部に透水孔を設けるのに代えて、袋体から水を導出する導水管を袋体に接続することにしてもよい。この導水管を植物栽培場に配管してもよい。さらに、導水管にピンホール状の透水孔を形成してもよい。
【００１３】
前記袋体の内部に肥料又は農薬からなる添加剤を入れることにしてもよい。これによって、雨水が袋体内に流入すると、袋体内において前記添加剤が雨水と混合し、又は雨水に溶解する。これによって、袋体に溜めた雨水と一緒に前記添加剤を植物栽培場の土等に供給することができる。
【発明の効果】
【００１４】
本発明によれば、簡易な構造で安価な雨水貯蔵装置を提供することができる。
【図面の簡単な説明】
【００１５】
【図１】図１は、本発明の第１実施形態に係る雨水貯蔵袋装置を、雨天時の貯水状態で示す断面図である。
【図２】図２は、上記雨水貯蔵袋装置を、内容物が空の状態で示す断面図である。
【図３】図３は、上記雨水貯蔵袋装置の平面図である。
【図４】図４は、上記雨水貯蔵袋装置の製造過程を示す斜視図である。
【図５（ａ）】図５（ａ）は、上記雨水貯蔵袋装置の一部を、降雨により貯水を開始した状態で拡大して示す拡大断面図である。
【図５（ｂ）】図５（ｂ）は、上記雨水貯蔵袋装置の一部を、貯水が進んだ状態で拡大して示す拡大断面図である。
【図６】図６は、上記雨水貯蔵袋装置の変形例を示す拡大断面図である。
【図７】図７は、上記雨水貯蔵袋装置の変形例を示す拡大断面図である。
【図８】図８は、本発明の第２実施形態を示し、雨水貯蔵袋装置を設置した果樹園の解説断面図である。
【図９】図９は、図８のＩＸ−ＩＸ線に沿って矢視した、上記果樹園の平面図である。
【図１０】図１０は、第２実施形態に係る雨水貯蔵袋装置を貯水状態で示す断面図である。
【図１１】図１１は、第２実施形態に係る雨水貯蔵袋装置の一部を拡大して示す断面図である。
【図１２】図１２は、本発明の第３実施形態に係る雨水貯蔵袋装置の平面図である。
【図１３】図１３は、本発明の第４実施形態に係る雨水貯蔵袋装置の平面図である。
【図１４】図１４は、上記第４実施形態の変形例を示す断面図である。
【図１５】図１５は、上記第４実施形態の別の変形例を示す断面図である。
【発明を実施するための形態】
【００１６】
以下、本発明の実施形態を図面にしたがって説明する。
図１〜図５は、本発明の第１実施形態を示したものである。
図１に示すように、雨水貯蔵袋装置１は、袋体１０と、浮体２０を備え、内部には貯水室１５が形成されている。雨水貯蔵袋装置１上に降った雨水ｗ０が、被貯蔵液ｗとして貯水室１５に溜められる。
【００１７】
袋体１０は、ポリエチレン等のポリオレフィン系樹脂シート（膜）にて構成され、可撓性を有している。図３に示すように、袋体１０の形状は、平面視で例えば四角形になっている。袋体１０の大きさは、例えば数十ｃｍ角〜数ｍ角程度であるが、本発明はこれに限られず、設置スペース等に応じて適宜設定でき、十数ｍ角〜数十ｍ角以上であってもよい。袋体１０の材質として、生分解性樹脂を用いてもよい。
【００１８】
図２に示すように、袋体１０は、上を向く上面膜部１１（上面部）と、下を向く底面膜部１２（底面部）とを含む。これら膜部１１，１２の形状は、例えば四角形になっている（図３）。上面膜部１１及び底面膜部１２は、互いに上下に対向するとともに周縁部が一体に連なっている。詳しくは、図４に示すように、袋体１０の互いに対向する二辺において、上面膜部１１及び底面膜部１２どうしが直接かつ一体に連なっている。図３に示すように、袋体１０における他の対向する二辺には、封止部１４が設けられている。この封止部１４において、上面膜部１１及び底面膜部１２どうしがヒートシール（溶着）にて一体化されて封止されている。
【００１９】
図１及び図３に示すように、上面膜部１１には、複数の受水孔１３が形成されている。複数の受水孔１３は、上面膜部１１内において互いに分散（離間）して配置されている。これら受水孔１３を通して、上面膜部１１上の水滴ｗ１が袋体１０内に流入可能である。なお、受水孔１３の数は、特に限定が無く、複数に限られず、１つだけであってもよい。受水孔１３の形状は、概略円形であるが、これに限られず、多角形、その他の任意の形状になっていてもよい。各受水孔１３の大きさは、水滴ｗ１が十分に流入可能かつ袋体１０内に貯めた水の蒸発を十分に抑制可能な大きさであることが好ましく、例えば直径１ｃｍ前後〜数ｃｍ程度である。
なお、図５（ａ）〜同図（ｂ）においては、作図の都合上、膜部１１，１２の厚みは、受水孔１３の直径に対して誇張されている（図６、図７、図１１において同様）。
【００２０】
浮体２０は、気泡緩衝材（エアクッション）にて構成されている。すなわち、図５（ａ）に示すように、浮体２０は、平坦な膜２１と、多数（複数）の円柱状の突起部２２ａを有する膜２２とを重ね合わせて溶着することによって構成されている。突起部２２ａの直径は１ｃｍ程度である。突起部２２ａの内部は、空気（気体）が閉じ込められることによって気体室２０ａになっている。そのため、浮体２０の比重は、水よりも十分に小さい。言い換えると、浮体２０は、水よりも軽く、水に浮く。したがって、図１に示すように、浮体２０は、袋体１０内の水ｗによって浮き上がり、水ｗの上側に位置可能である。
【００２１】
なお、浮体２０は、気体室２０ａを含む浮体２０全体としての比重が水より小さければよく、膜２１，２２自体の比重は水と同程度ないしは水より大きくてもよい。膜２１，２２の材質は、例えばポリエチレン等のポリオレフィン系樹脂である。或いは、膜２１，２２の材質として、生分解性樹脂を用いてもよい。浮体１０の材質は、袋体１０の材質と同じであってもよく、袋体１０の材質と異なっていてもよい。例えば、袋体１０が生分解性樹脂にて構成される一方、浮体１０がポリエチレン等の一般的なポリオレフィン系樹脂にて構成されていてもよい。
【００２２】
図４に示すように、浮体２０は、上面膜部１１又は底面膜部１２より少し小さく、かつ上面膜部１１及び底面膜部１２と概略相似の四角形になっている。図２に示すように、この浮体２０が、平坦に広げられた状態で、上面膜部１１及び底面膜部１２どうしの間に挟まれるようにして、袋体１０の内部に収容されている。袋体１０内において、浮体２０の突起部２２ａは下方すなわち底面膜部１２へ向けられ、平坦膜２１が上方すなわち上面膜部１１へ向けられている。袋体１０内の浮体２０は、何れの部位においても、袋体１０に対してフリー（変位可能）になっており、袋体１０と接合（固定）されていない。図１に示すように、この袋体１０内の浮体２０と底面膜部１２との間に貯水室１５が形成されている。貯水室１５内の水ｗの浮力によって、浮体２０が浮き上がり、上面膜部１１の内面に押し付けられている。
【００２３】
図１及び図３に示すように、浮体２０には、複数の通水孔２３が形成されている。これら通水孔２３は、浮体２０内において互いに分散（離間）して配置されている。好ましくは、各通水孔２３が、対応する１つの受水孔１３とほぼ重なっている。なお、通水孔２３の数は、特に限定が無く、１つだけであってもよい。各通水孔２３の形状は、例えば概略Ｘ字状（手裏剣状）になっているが、これに限られず、円形、多角形、その他の任意の形状になっていてもよい。好ましくは、通水孔２３は、受水孔１３よりも大きい。より好ましくは、通水孔２３は、水滴ｗ１が貯水室１５の内部に十分に流入可能かつ貯水室１５内の水ｗの蒸発を十分に抑制可能な大きさである。例えば、通水孔２３の対角線の長さＬ２３は、Ｌ２３＝数ｃｍ〜十数ｃｍ程度であるが、本発明が上記数値範囲に限られるものではない。
なお、図５（ａ）〜同図（ｂ）においては、作図の都合上、突起部２２ａの大きさ及び膜２１，２２の厚みは、通水孔２３の大きさに対して誇張されている（図６、図７、図１１において同様）。すなわち、これら図面においては、通水孔２３の幅が、各突起部２２ａの直径より小さく、更には隣接する突起部２２ａどうし間の距離より小さいが、実際の通水孔２３は、複数の突起部２２ａに跨る大きさを有している（図２）。また、受水孔１３についても、複数の突起部２２ａに跨る大きさを有している（図２）。
【００２４】
雨水貯蔵袋装置１は、例えば次のようにして製造される。
図４に示すように、袋体１０の母材樹脂シート３は、長い筒状になっている。
この母材樹脂シート３を、同図において一点鎖線にて示す切断線Ｌｃに沿って、所要の長さに切り取り、袋体１０を得る。この段階の袋体１０は、両端が開放された筒状である。
この袋体１０における上面膜部１１となるべき部分に受水孔１３を形成する。
別途、気泡緩衝材からなる浮体２０を用意する。浮体２０には通水孔２３を形成する。
この浮体２０を袋体１０の１つの開放端から袋体１０の内部に入れるとともに、袋体１０の両方の開放端をヒートシールして、封止部１４を形成する。
このようにして、雨水貯蔵袋装置１を簡単に、かつ極めて安価に作製することができる。
【００２５】
なお、１枚の樹脂シートを２つ折りにして、折り目以外の３つの端部をそれぞれ封止することで袋体１０を形成してもよい。或いは、２枚の樹脂シートを重ね、４つの端部をそれぞれ封止することで袋体１０を形成してもよい。
【００２６】
図２に示すように、水が溜まっていない状態の雨水貯蔵袋装置１は、扁平で軽量であり、折り畳んでコンパクトにすることもできるから、移動及び保管等が容易である。
この雨水貯蔵袋装置１を圃場、その他の植物栽培場等の所要場所に敷設する。
図５（ａ）に示すように、この雨水貯蔵袋装置１上に雨ｗ０が降ると、上面膜部１１に水滴ｗ１が溜まる。この水滴ｗ１の一部が、受水孔１３を通して袋体１０の内部に入り、更に図５（ｂ）に示すように、通水孔２３を通して浮体２０と底面膜部１２との間の貯水室１５に流れ込む。浮体２０は水ｗよりも比重が軽いため、貯水室１５の水ｗによって浮体２０に浮力が働き、浮体２０が浮き上がる。この浮体２０によって上面膜部１１が押し上げられる。これによって、図１に示すように、貯水室１５に雨水が溜まる。このようにして、雨水貯蔵袋装置１の設置場所に降った雨水を直接貯蔵できる。降雨量が大きい時、雨水が無駄に流失するのを防止できる。この雨水貯蔵袋装置１内の水ｗを必要に応じて取り出し、利用に供することができる。
通水孔２３及び受水孔１３は、数ｃｍ〜十数ｃｍ程度の小穴であるから、雨水貯蔵袋装置１から水ｗが蒸発するのを抑制できる。
袋体１０及び浮体２０を生分解性樹脂にて構成すれば、これら袋体１０及び浮体２０はやがて分解されて土にかえるために、廃棄処分が不要である。
【００２７】
次に、本発明の他の実施形態を説明する。以下の実施形態において、既述の実施形態と重複する内容に関しては、図面に同一符号を付して説明を省略する。
図６に示すように、袋体１０内における浮体２０は、突起部２２ａが上方すなわち上面膜部１１へ向けられ、平坦膜２１が下方すなわち底面膜部１２を向けられていてもよい。この場合でも、受水孔１３から雨水貯蔵袋装置１内に入った水ｗは、通水孔２３を通って、平坦膜２１と底面膜部１２との間の貯水室１５に導かれる。この貯水室１５内の水ｗの浮力によって浮体２０が浮き上がることで、浮体２０が水ｗの上側に位置され、突起部２２ａが上面膜部１１に当たり、上面膜部１１が押し上げられる。
【００２８】
図７に示すように、通水孔２３と受水孔１３が互いにずれていてもよい。この場合、受水孔１３から入った水ｗは、上面膜部１１と浮体２０との間の隙間１７に水平に拡散する。この隙間１７は、通水孔２３に連通しているから、この連通部において水ｗが通水部２３に流れ込み、貯水室１５へ導かれる。
【００２９】
図８〜図１１は、本発明の第２実施形態を示したものである。
図１０及び図１１に示すように、第２実施形態の雨水貯蔵袋装置１Ｘの底面膜部１２には、複数の透水孔１６が形成されている。袋体１０内の水ｗが各透水孔１６から外部に透過可能である。各透水孔１６は、直径数μｍ〜数ｍｍ程度のピンホールにて構成されており、受水孔１３及び通水孔２３よりも開口面積が十分に小さい。したがって、透水孔１６における水透過のコンダクタンスは、受水孔１３からの水ｗ１の流入コンダクタンスよりも十分に小さい。図９及び図１０に示すように、複数の透水孔１６は、底面膜部１２内において互いに分散（離間）して配置されている。なお、透水孔１６の数は、１つだけであってもよい。
雨水貯蔵袋装置１Ｘの袋体１０及び浮体２０の材質としては、経済性の観点からはポリエチレン等の一般的なポリオレフィン系樹脂を用いるとよく、使用後の処分性の観点からは生分解性樹脂を用いることが好ましい。
【００３０】
第２実施形態における雨水貯蔵袋装置１Ｘは、例えば次のようにして使用される。
図８に示すように、雨水貯蔵袋装置１Ｘを植物栽培場２に敷設する。植物栽培場２としては、ミカン、オリーブなどの果樹園が挙げられる。ミカン、オリーブ等の果樹４の近くに雨水貯蔵袋装置１Ｘを配置する。水が溜まっていない状態の雨水貯蔵袋装置１Ｘは、扁平で軽量であるから、簡単に設置することができる。好ましくは、図９に示すように、雨水貯蔵袋装置１Ｘを複数用意し、これら雨水貯蔵袋装置１Ｘを果樹４の周りを囲むように配置する。各雨水貯蔵袋装置１Ｘは極めて安価であるから、雨水貯蔵袋装置１Ｘを複数設置しても費用を十分に抑えることができる。
【００３１】
降雨時、果樹４の周辺では雨が地表に直接降るのではなく、先ず雨水貯蔵袋装置１Ｘ上に溜まり、その一部が受水孔１３及び通水孔２３を通して貯水室１５に入り込む。これによって、貯水室１５に水ｗを蓄えることができ、雨が無駄に流失するのを防止できる。
【００３２】
図１０及び図１１に示すように、貯水室１５に溜まった水ｗは、時間をかけて徐々に透水孔１６から流出して、果樹４の周辺の土中に浸み込む。したがって、晴天時にも果樹４の周辺の土に水ｗを供給できる。これによって、果樹４の周辺の土を常時湿潤な状態にすることができる。さらに、雨水貯蔵袋装置１Ｘが果樹４の周辺の土中の水分の蒸発を抑えることで、果樹４の周辺の土を常時湿潤な状態に維持することができる。これによって、果樹４の生育を促進させることができる。
【００３３】
雨水貯蔵袋装置１Ｘに液肥等の肥料や農薬等の添加剤を予め入れておいてもよい。雨水ｗ０が雨水貯蔵袋装置１Ｘ内に入ると、雨水貯蔵袋装置１Ｘ内において上記添加剤が水ｗと混合し、又は水ｗに溶解する。これによって、水ｗと一緒に上記添加剤を、透水孔１６を通して装置１Ｘから少しずつ流出させて、果樹４の周辺の土に供給できる。
【００３４】
雨水貯蔵袋装置１Ｘの少なくとも上面膜部１１を白色にする等して、上面膜部１１に光反射性を付与してもよい。これによって、太陽光が雨水貯蔵袋装置１Ｘで反射し、この反射光が果樹４に当たることで、果実の生育を促進させることができる。
【００３５】
雨水貯蔵袋装置１Ｘの袋体１０及び浮体２０を生分解性樹脂にて構成すれば、これら袋体１０及び浮体２０はやがて分解されて植物栽培場２の土の一部になる。したがって、使用後の装置１Ｘを廃棄処分する手間を省くことができる。
【００３６】
図１２は、本発明の第３実施形態を示したものである。
第３実施形態は、果樹が苗木４ａの状態のときから雨水貯蔵袋装置１Ｙを用いるものである。雨水貯蔵袋装置１Ｙの中央部には、受水孔１３及び通水孔２３よりも大きな穴部１ｃが形成されている。つまり、袋体１０Ｙの膜部１１，１２及び浮体２０Ｙが環状になっている。雨水貯蔵袋装置１Ｙの穴部１ｃの縁には、封止部１４Ｙが形成されている。この封止部１４Ｙにおいて、上面膜部１１及び底面膜部１２どうしがヒートシールにて封止されている。底面膜部１２には、第２実施形態と同様に透水孔１６が形成されている。
なお、第３実施形態における雨水貯蔵袋装置１Ｙの大きさは、例えば数十ｃｍ角程度であり、穴部１ｃの大きさは、例えば直径数ｃｍ〜１０ｃｍ程度である。
【００３７】
この雨水貯蔵袋装置１Ｙを、穴部１ｃの内側に果樹の苗木４ａが位置するようにして、植物栽培場２に敷設する。そうすることで、苗木４ａの周辺に降った雨を雨水貯蔵袋装置１Ｙに溜めることができる。この雨水を透水孔１６から少量ずつ苗木４ａの周辺の土中に浸み込ませることができる。これによって、晴天時にも苗木４ａの周辺の土を湿潤な状態に維持することができ、苗木４ａの生育を促すことができる。
苗木４ａが成長して幹が穴部１ｃよりも太くなると、雨水貯蔵袋装置１Ｙが引き裂かれる。そのとき、雨水貯蔵袋装置１Ｙを廃棄する。或いは、袋体１０Ｙ及び浮体２０Ｙを生分解性樹脂にて構成すれば、これら袋体１０Ｙ及び浮体２０Ｙが自然に分解されて植物栽培場２の土の一部になるようにすることができる。したがって、使用後の廃棄作業の手間を省くことができる。苗木４ａが成長した段階で、第２実施形態の雨水貯蔵袋装置１Ｘを敷設してもよい。
【００３８】
図１３は、本発明の第４実施形態を示したものである。
第４実施形態に係る雨水貯蔵袋装置１Ａは、袋体１０及び浮体２０に加えて、導水管３０を更に備えている。第４実施形態における袋体１０は、例えば植物栽培場（図示省略）の近く、ないしは植物栽培場から離れた設置場所に設置される。設置場所は、植物栽培場よりも高所であることが好ましい。この袋体１０から導水管３０が上記植物栽培場へ延びている。
なお、袋体１０には透水孔１６が形成されていない。
【００３９】
袋体１０の一側部に接続部１７が設けられている。この接続部１７に導水管３０が接続されている。導水管３０と接続部１７との間は液密にシールされている。導水管３０は、接続部１７から少しだけ袋体１０の内部に挿入されている。導入管３０における袋体１０内に挿入された部分３１は、浮体２０の下側（浮体２０と底面膜部１２との間）に配管されている。この挿入部分３１の端部（図１３において左端）は開口され、上流端開口３１ａ（取水口）を構成している。
【００４０】
袋体１０内の水ｗが上記開口３１ａから導水管３０内に取り込まれる。この水ｗが、導水管３０を伝って植物栽培場へ導かれる。図示は省略するが、導水管３０における植物栽培場内に配管された部分の管壁には、ピンホール状の透水孔が１又は複数形成されている。この透水孔から微小流量の水が漏れ出る。このようにして、袋体１０に溜めた水を導水管３０によって取り出し、植物栽培場に供給することができる。第４実施形態によれば、袋体１０を植物栽培場に直接設置する必要がない。したがって、植物栽培場に袋体１０の設置スペースを確保する必要が無い。
【００４１】
なお、導水管３０の下流端を人工池等の水源設備に接続し、袋体１０内の水ｗを導水管３０を介して上記水源設備に移すことにしてもよい。水源設備から植物栽培場へ水を適宜供給するようにしてもよい。
導水管３０をポンプに接続し、このポンプによって袋体１０から水ｗを汲み出してもよい。汲み出した水ｗを植物栽培場や水源設備に送ることにしてもよい。
【００４２】
図１４は、導水管付き雨水貯蔵袋装置１Ａの変形例を示したものである。この雨水貯蔵袋装置１Ａの導水管３０は、袋体１０との接続部１７から袋体１０の内部に深く挿入され、その端部３１ａは、袋体１０における接続部１７とは反対側（図１４において左）の部分の近くに配置されている。この導水管３０における袋体１０内に挿入された部分３１は、孔空き管３２にて構成されている。孔空き管３２は、浮体２０の下側（浮体２０と底面膜部１２との間）に配管されている。袋体１０内の水ｗは、上流端開口３１ａからだけでなく、孔空き管３２の中途部分の管壁からも管３０内に取り込み可能になっている。詳細には、孔空き管３２は、帯板材３２ａを螺旋状に成形してなるスパイラルチューブにて構成されている。螺旋状の帯板材３２ａによって、螺旋状の隙間３２ｂ（取水孔）が形成されている。この螺旋状隙間３２ｂを通して、水が出入り自在になっている。螺旋状隙間３２ｂすなわち取水孔は、孔空き管３２のほぼ全長にわたって設けられている。したがって、導水管３０における袋体１０内に挿入された部分３１のほぼ全域から水ｗを導水管３０に取り込むことができる。
【００４３】
この実施形態においては、袋体１０の設置場所が平坦でなくても、つまりは設置場所が凸凹であっても、袋体１０に溜めた水ｗを導水管３０によって確実に取り出すことができる。すなわち、図１４において二点鎖線にて示すように、設置場所に凸部５があった場合、袋体１０の少なくとも底面膜部１２及び孔空き管３２が、凸部５に沿って上へ湾曲された状態になる。この場合において、袋体１０内の水ｗを導水管３０から取り出していくと、やがて凸部５上では、袋体１０が潰れた状態になり、上面膜部１１が浮体２０を介して底面膜部１２及び孔空き管３２と接する。したがって、貯水室１５における、凸部５より接続部１７側（図１４において右）の室部分１５ａと、凸部５より接続部１７とは反対側（図１４において左）の室部分１５ｂとが、孔空き管３２の内部を除き、殆ど遮断される。言い換えると、凸部６上の袋体１０が潰れても、凸部５を挟んで両側の室部分１５ａ，１５ｂどうしは、少なくとも孔空き管３２の内部を介して連通される。
【００４４】
ここで、もしも孔空き管３２が無く、導水管３０が図１３に示す構造であったとすれば、貯水室部分１５ａの水ｗを取り出すことはできても、貯水室部分１５ｂの水ｗを取り出すのは、たとえ導水管３０を介してポンプで吸引したとしても困難である。
これに対し、本実施形態においては、室部分１５ｂの水ｗは、該室部分１５ｂにおける螺旋状隙間３２ｂ及び上流端開口３１ａから孔空き管３２内に取り込まれ、孔空き管３２の内部を通ることで凸部５を乗り越えて、袋体１０の外部に取り出すことができる。また、室部分１５ａの水ｗは、該室部分１５ａにおける螺旋状隙間３２ｂから孔空き管３２内に取り込まれることで、袋体１０の外部に取り出すことができる。
【００４５】
図１５は、導水管付き雨水貯蔵袋装置１Ａの別の変形例を示したものである。この雨水貯蔵袋装置１Ａの導水管３０には、バルブ３３が設けられている。バルブ３３は、袋体１０の外側の導水管３０における接続部１７の近くの部分に配置されている。バルブ３３によって、導水管３０を開閉したり、導水管３０内を通る水の流量を調節したりすることができる。
【００４６】
バルブ３３より下流側の導水管３０には、複数の透水孔３６が形成されている。各透水孔３６は、直径数μｍ〜数ｍｍ程度のピンホールにて構成されている。複数の透水孔３６は、導水管３０の延び方向に互いに分散（離間）して配置されている。なお、透水孔３６の数は特に限定が無く、複数に限られず、１つだけであってもよい。導水管３０の下流端（図１５において左端）は閉塞されている。バルブ３３を開けると、袋体１０内の水ｗが、導水管３０を経て透水孔３６から漏れ出る。
【００４７】
導水管３０は、果樹園等の植物栽培場２の地表に配管されている。また、同じ地表に袋体１０が敷設されている。袋体１０は、導水管３０上に被さっている。
なお、導水管３０の上流側部分３１は、図１３の実施形態と同様の構成になっているが、図１４に示す孔空き管３２と同様の構成にしてもよい。
【００４８】
この実施形態においては、バルブ３３によって、透水孔３６から水ｗを流出させたり、流出を停止したり、流出量を調節したりすることができる。これによって、果樹４の生育に適した水遣りを行なうことができる。このような水量調節は、例えばミカン等の果樹に対して有効である。
【００４９】
本発明は、上記実施形態に限定されるものではなく、その趣旨を逸脱しない範囲において種々の改変をなすことができる。
例えば、浮体２０が、袋体１０の上面膜部を構成していてもよい。つまり、袋体１０の上面膜部１１を省略するとともに浮体２０と底面膜部１２との周縁部どうしを封止することで、雨水貯蔵袋装置を構成してもよい。或いは、袋体１０の上面膜部１１の全体又は大部分を開口させ（つまり上面膜部１１を枠形状にし）、この開口に浮体２０を設け、該浮体２０の周縁部を袋体１０の上記開口の縁に溶着等にて接合してもよい。この場合、受水孔１３は不要である。
袋体１０ひいては上面膜部１１及び底面膜部１２の形状は、四角形に限られず、円形、四角形以外の多角形、その他の任意の形状であってもよい。
浮体２０の形状は、四角形に限られず、円形、四角形以外の多角形、その他の任意の形状であってもよく、袋体１０の膜部１１，１２の形状とは異なっていてもよい。
浮体２０は、袋体１０内に流入した水ｗの上側に位置可能であればよい。すなわち、上記水ｗが浮体２０の下方へ移動可能であれば、通水孔２３は必ずしも無くてもよい。例えば、浮体２０の面積を膜部１１，１２の面積よりも小さくすること等によって、袋１０内に流入した水ｗが浮体２０の周縁部から浮体２０の下方へ回り込むようにしてもよい。
また、浮体は、可撓性の膜状ないしはシート状に限られず、粒状や塊状（ブロック状、板状）等であってもよい。
浮体は、気泡緩衝材に限られず、発泡体であってもよく、浮き板等であってもよい。発泡体としては、発泡スチロール等の発泡樹脂シートの他、発泡樹脂の粒や塊等が挙げられる。これら粒や塊の数は、１つでもよく、好ましくは複数であり、より好ましくは多数である。
気体室２０ａは、浮体２０に少なくとも１つ有ればよい。
通水孔２３と受水孔１３とが互いに同程度の大きさであってもよく、受水孔１３が通水孔２３より大きくてもよい。
第２及び第３実施形態の雨水貯蔵袋装置１Ｘ，１Ｙにおいても、図６又は図７の変形態様を採用してもよい。
雨水貯蔵袋装置に溜めた水は、農業用水や林業用水の他、工業用水としても利用でき、産業用に限られず、家庭用としても利用できる。
植物栽培場２は、果樹園に限られず、花卉、野菜、穀物、その他の等の種々の植物を栽培する圃場であってもよく、家庭菜園等であってもよい。
雨水に限られず、地下水、河川水等を雨水貯蔵袋装置に貯えてもよい。
【産業上の利用可能性】
【００５０】
本発明は、雨水を貯え、農業用水として供給する雨水貯蔵装置として適用できる。
【符号の説明】
【００５１】
１，１Ａ，１Ｘ，１Ｙ  雨水貯蔵袋装置
２      植物栽培場
１０    袋体
１１    上面膜部（上面部）
１２    底面膜部（底面部）
１３    受水孔
１５    貯水室
１６    透水孔
２０    浮体
２０ａ  気体室
２３    通水孔
【図１】
2015101350.tif 000003
【図２】
2015101350.tif 000004
【図３】
2015101350.tif 000005
【図４】
2015101350.tif 000006
【図５（ａ）】
2015101350.tif 000007
【図５（ｂ）】
2015101350.tif 000008
【図６】
2015101350.tif 000009
【図７】
2015101350.tif 000010
【図８】
2015101350.tif 000011
【図９】
2015101350.tif 000012
【図１０】
2015101350.tif 000013
【図１１】
2015101350.tif 000014
【図１２】
2015101350.tif 000015
【図１３】
2015101350.tif 000016
【図１４】
2015101350.tif 000017
【図１５】
2015101350.tif 000018